(57)【要約】【課題】消耗品の管理対応に関する通知を、前記管理対応が可能なユーザーに対して選択的に通知し、さらに、前記管理対応が可能なユーザーの情報を設定する手間を省略すること。【解決手段】特定イベント判定部Ｓ２０１，Ｓ２０３は、ユーザーが認識されてから予め定められた認識終了条件が成立するまでの認識中期間に、消耗品の補充または交換を含む管理操作が行われる際に発生する特定イベントが発生したか否かを判定する。特定ユーザー登録部Ｓ２０２，Ｓ２０４は、前記特定イベントが発生した場合に、対応可能情報Ｄ１，Ｄ２を、ユーザー識別情報に対応付けて不揮発性の記憶装置４に記憶させる。通知部５１ｄは、前記対応可能情報Ｄ１，Ｄ２が前記記憶装置４に記録されており、かつ、前記消耗品に対応するパラメーターが通知条件を満たす場合に、通知情報を表示装置３ｂに表示させる。【選択図】図４
2019005956.tif 000002
【特許請求の範囲】
【請求項１】
シートに画像を形成する印刷処理を実行する印刷処理装置と、
前に存在するユーザーを認識するユーザー認識装置と、
前記印刷処理装置を制御する制御装置と、
情報を表示する表示装置と、を備え、
前記制御装置は、
前記ユーザーが認識されてから予め定められた認識終了条件が成立するまでの認識中期間に、前記印刷処理に関する消耗品の補充または交換を含む管理操作が行われる際に発生する特定イベントが発生したか否かを判定する特定イベント判定部と、
前記認識中期間に前記特定イベントが発生したと判定された場合に、前記ユーザーが前記消耗品の前記管理操作を行えることを示す対応可能情報を、前記認識中期間に対応する前記ユーザーを識別するユーザー識別情報に対応付けて不揮発性の記憶装置に記憶させる特定ユーザー登録部と、
前記認識中期間に対応する前記ユーザー識別情報に対応する前記対応可能情報が前記記憶装置に記録されており、かつ、前記消耗品に対応する第１パラメーターが予め定められた第１通知条件を満たす場合に、前記第１通知条件に対応する通知情報を前記表示装置に表示させる第１通知部と、を含む、画像形成装置。
【請求項２】
前記消耗品は、前記印刷処理に用いられる現像剤を収容する現像剤容器または前記シートである、請求項１に記載の画像形成装置。
【請求項３】
前記ユーザーに関する情報を入力する情報入力装置をさらに備え、
前記記憶装置は、１人以上の登録ユーザーを識別する前記ユーザー識別情報を含む登録情報を予め記憶しており、
前記ユーザー認識装置は、前記情報入力装置を通じて入力される情報を前記登録情報における前記ユーザー識別情報と照合することによって前記ユーザーを認識する、請求項１または請求項２に記載の画像形成装置。
【請求項４】
前記情報入力装置は、前記画像形成装置の前方に向けて設けられたカメラを含み、
前記ユーザー識別情報は、前記登録ユーザーの顔の画像における予め定められた複数の顔要素である複数の登録顔要素の情報を含み、
前記ユーザー認識装置は、
前記カメラにより撮影された画像から前記ユーザーの顔画像を抽出し、抽出された前記顔画像における前記複数の顔要素である複数の認識顔要素を特定する顔認識部と、
前記複数の認識顔要素を前記登録情報における前記複数の登録顔要素と照合することによって前記ユーザーを認識する顔照合部と、を含む、請求項３に記載の画像形成装置。
【請求項５】
他装置と通信を行う通信装置をさらに備え、
前記登録情報は、前記登録ユーザーに対応する通信アドレスの情報を含み、
前記制御装置は、
前記対応可能情報が前記記憶装置に記録されており、かつ、前記消耗品に対応する予め定められた第２パラメーターが、前記消耗品の手配に関する予め定められた第２通知条件を満たす場合に、前記第２通知条件に対応する通知情報を、前記登録情報における前記対応可能情報に対応する前記通信アドレスを宛先として、前記通信装置を通じて送信する第２通知部をさらに含む、請求項３または請求項４に記載の画像形成装置。
【発明の詳細な説明】
【技術分野】
【０００１】
本発明は、消耗品の管理に関する処理を実行可能な画像形成装置に関する。
【背景技術】
【０００２】
一般に、画像形成装置において、画像形成媒体であるシートまたは現像剤を収容する現像剤容器などの消耗品が用いられる。従って、前記画像形成装置の運用において、前記消耗品の補充または交換などの消耗品管理が必要である。
【０００３】
また、印刷管理用サーバーが、前記画像形成装置の故障などの状況変化を、過去に前記画像形成装置を利用したユーザーに対して電子メールによって送信することが知られている（例えば、特許文献１参照）。
【先行技術文献】
【特許文献】
【０００４】
【特許文献１】特開２００５−１２８９６６号公報
【発明の概要】
【発明が解決しようとする課題】
【０００５】
ところで、前記画像形成装置における前記消耗品の補充または交換などの管理対応は、一部のユーザーのみによって行われる場合が多い。この場合、前記画像形成装置において、前記管理対応が必要な事態が生じたときに、前記管理対応に関する通知が、前記管理対応が可能な一部のユーザーに対して選択的に出力されることが望ましい。
【０００６】
一方、前記管理対応が可能なユーザーが誰であるかを特定する情報を予め前記画像形成装置に設定する操作を行うことは、ユーザーにとって煩わしい。また、前記管理対応が可能なユーザーが、予め決まっていないこともある。
【０００７】
本発明の目的は、消耗品の補充または交換などの管理対応に関する通知を、前記管理対応が可能なユーザーに対して選択的に通知でき、さらに、前記管理対応が可能なユーザーの情報を設定する手間を省略できる画像形成装置を提供することにある。
【課題を解決するための手段】
【０００８】
本発明の一の局面に係る画像形成装置は、印刷処理装置と、ユーザー認識装置と、制御装置と、表示装置と、を備える。前記印刷処理装置は、シートに画像を形成する印刷処理を実行する。前記ユーザー認識装置は、前に存在するユーザーを認識する。前記制御装置は、前記印刷処理装置を制御する。前記表示装置は、情報を表示する。前記制御装置は、特定イベント判定部と、特定ユーザー登録部と、第１通知部と、を含む。前記特定イベント判定部は、前記ユーザーが認識されてから予め定められた認識終了条件が成立するまでの認識中期間に、前記印刷処理に関する消耗品の補充または交換を含む管理操作が行われる際に発生する特定イベントが発生したか否かを判定する。前記特定ユーザー登録部は、前記認識中期間に前記特定イベントが発生したと判定された場合に、前記ユーザーが前記消耗品の前記管理操作を行えることを示す対応可能情報を、前記認識中期間に対応する前記ユーザーを識別するユーザー識別情報に対応付けて不揮発性の記憶装置に記憶させる。前記第１通知部は、前記認識中期間に対応する前記ユーザー識別情報に対応する前記対応可能情報が前記記憶装置に記録されており、かつ、前記消耗品に対応する第１パラメーターが予め定められた第１通知条件を満たす場合に、前記第１通知条件に対応する通知情報を前記表示装置に表示させる。
【発明の効果】
【０００９】
本発明によれば、消耗品の補充または交換などの管理対応に関する通知を、前記管理対応が可能なユーザーに対して選択的に通知でき、さらに、前記管理対応が可能なユーザーの情報を設定する手間を省略できる画像形成装置を提供することが可能になる。
【図面の簡単な説明】
【００１０】
【図１】図１は、実施形態に係る画像形成装置のブロック図である。
【図２】図２は、実施形態に係る画像形成装置における印刷処理装置の構成図である。
【図３】図３は、実施形態に係る画像形成装置におけるユーザー認証処理の手順の一例を示すフローチャートである。
【図４】図４は、実施形態に係る画像形成装置における対応可能ユーザー登録処理の手順の一例を示すフローチャートである。
【図５】図５は、実施形態に係る画像形成装置における第１通知処理の手順の一例を示すフローチャートである。
【図６】図６は、実施形態に係る画像形成装置における第２通知処理の手順の一例を示すフローチャートである。
【図７】図７は、実施形態に係る画像形成装置における登録情報のデータ構成の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［画像形成装置１０の構成］
図１に示されるように、実施形態に係る画像形成装置１０は、印刷処理装置２および印刷処理装置２を制御する制御装置５を備える。印刷処理装置２は、シート９２に画像を形成する印刷処理を実行する（図２参照）。印刷処理装置２は、いわゆるプリンターである。なお、図２において、画像読取装置１が仮想線で示されている。
【００１３】
本実施形態において、画像形成装置１０は、画像読取装置１、ユーザーインターフェイス装置３、二次記憶装置４、通信装置６およびカメラ７をさらに備える。例えば、画像形成装置１０が、複写機または複写機能を有する複合機などであることが考えられる。
【００１４】
画像形成装置１０は、シート９２に画像を形成する印刷処理および原稿９１から画像を読み取る画像読取処理などの画像処理に関するジョブを実行する装置である（図１参照）。
【００１５】
ユーザーインターフェイス装置３は、操作器３ａおよび表示装置３ｂを含む。操作器３ａは、ユーザーの操作を受け付ける装置であり、例えばタッチパネルを含む。表示装置３ｂは、情報を表示可能な液晶パネルなどの表示パネルを含む。
【００１６】
通信装置６は、ＬＡＮ（Local Area Network）などのネットワーク８０を通じてパーソナルコンピューターまたは携帯端末などの他装置との間で通信を行う通信インターフェイスデバイスである。制御装置５は、前記他装置との間のデータの送信および受信の全てを、通信装置６を通じて行う。
【００１７】
二次記憶装置４は、コンピューター読み取り可能な不揮発性のデータ記憶装置である。二次記憶装置４は、プログラムおよび各種のデータを記憶可能である。例えば、ハードディスクドライブおよびＳＳＤ（Solid State Drive）の一方または両方の組合せが、二次記憶装置４として採用される。
【００１８】
画像読取装置１は、原稿９１の画像を読み取る読取処理を実行する装置である。画像読取装置１は、光源１ａ、走査機構１ｂ、イメージセンサー１ｃおよびＡＦＥ（Analog Front End）１ｄなどを備える。
【００１９】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００２０】
ＡＦＥ（１ｄ）は、前記画像信号をデジタルの画像データへ変換する。以下の説明において、画像読取装置１の前記読取処理によって原稿９１から読み取られた画像のことを読取画像と称する。
【００２１】
印刷処理装置２は、電子写真方式またはインクジェット方式などの予め定められた方式で前記印刷処理を実行する装置である。印刷処理装置２は、前記読取画像のデータまたは通信装置６を通じて前記他装置から受信した受信印刷データに基づいて前記印刷処理を実行可能である。
【００２２】
図２に示される印刷処理装置２は、電子写真方式で前記印刷処理を実行する装置である。印刷処理装置２は、シート収容部２ａ、シート搬送機構２ｂ、感光体２ｃ、帯電装置２ｄ、レーザースキャニングユニット２ｅ、現像装置２ｆ、転写装置２ｇ、定着装置２ｈ、トナーコンテナ２ｉ、トナー残量センサー２ｊ、シート残量センサー２ｋ、コンテナセンサー２ｌおよび引出センサー２ｍなどを備える。
【００２３】
シート収容部２ａは、１枚以上のシート９２を収容する。例えば、シート収容部２ａは、シート９２を支持する昇降部２１ａと、昇降部２１ａを昇降させる駆動機構２２ａとを備える。駆動機構２２ａは、昇降部２１ａを上方向へ付勢することにより、昇降部２１ａ上のシート９２の最上面を予め定められた高さに維持する。
【００２４】
従って、シート収容部２ａ内のシート９２が少ないほど、昇降部２１ａがより高い位置に保持される。シート収容部２ａは、画像形成装置１０の本体に対して引き出し可能に装着されている。シート収容部２ａが前記本体から引き出された状態で、シート９２がシート収容部２ａに補充される。
【００２５】
シート搬送機構２ｂは、シート収容部２ａ内のシート９２を、シート搬送路２００へ送り出し、さらに、そのシート９２をシート搬送路２００に沿って搬送する。
【００２６】
帯電装置２ｄは、ドラム状の感光体２ｃの表面を帯電させる。レーザースキャニングユニット２ｅは、帯電した感光体２ｃの表面に静電潜像を書き込む。
【００２７】
現像装置２ｆは、感光体２ｃの表面にトナー９０を供給することにより、前記静電潜像をトナー像へ現像する。トナー９０は、粉状の現像剤である。
【００２８】
転写装置２ｇは、感光体２ｃ上の前記トナー像を、シート搬送路２００に沿って搬送されるシート９２に転写する。定着装置２ｈは、シート９２上の前記トナー像を加熱することにより、前記トナー像をシート９２に定着させる。
【００２９】
なお、印刷処理装置２は、感光体２ｃから残存トナーを除去するクリーニング装置２ｎなども備える。
【００３０】
トナーコンテナ２ｉは、前記印刷処理に用いられるトナー９０を収容する現像剤容器である。トナー９０は、トナーコンテナ２ｉから現像装置２ｆへ供給される。トナーコンテナ２ｉは、画像形成装置１０の本体に対して取り外し可能に装着される。
【００３１】
トナーコンテナ２ｉ内のトナー９０が空になった場合、空のトナーコンテナ２ｉが、十分な量のトナー９０を収容する新たなトナーコンテナ２ｉへ交換される。
【００３２】
トナー残量センサー２ｊは、トナーコンテナ２ｉ内のトナー９０の残量を検出する。例えば、トナー残量センサー２ｊが、上下方向に並んで配置された複数のフォトセンサーであることが考えられる。この場合、前記複数のフォトセンサーは、トナーコンテナ２ｉに形成された透明の窓部に対向して配置される。
【００３３】
トナー残量センサー２ｊを構成する前記複数のフォトセンサーは、前方のレベルに存在するトナー９０を検出する。従って、トナーコンテナ２ｉ内のトナー９０の残量が減るに従って、前記複数のフォトセンサーのうち上側のものから順番に、トナー９０を検出しない状態になる。
【００３４】
シート残量センサー２ｋは、シート収容部２ａ内のシート９２の残量を検出する。例えば、シート残量センサー２ｋが、上下方向に並んで配置された複数のフォトセンサーであることが考えられる。
【００３５】
シート残量センサー２ｋを構成する前記複数のフォトセンサーは、前方のレベルに存在する昇降部２１ａまたはシート９２を検出する。従って、昇降部２１ａ上のシート９２の残量が減るに従って、前記複数のフォトセンサーのうち下側のものから順番に、昇降部２１ａまたはシート９２を検出しない状態になる。
【００３６】
コンテナセンサー２ｌは、画像形成装置１０の本体に対して装着された状態のトナーコンテナ２ｉを検出するセンサーである。即ち、トナーコンテナ２ｉがコンテナセンサー２ｌによって検出されない状態は、トナーコンテナ２ｉが前記本体から取り外された状態である。
【００３７】
また、引出センサー２ｍは、前記本体に装着されているシート収容部２ａを検出するセンサーである。即ち、シート収容部２ａが引出センサー２ｍによって検出されない状態は、シート収容部２ａが前記本体から引き出された状態である。
【００３８】
例えば、コンテナセンサー２ｌおよび引出センサー２ｍが、それぞれ対象物と接触することによって前記対象物を検出するリミットスイッチであることが考えられる。また、コンテナセンサー２ｌおよび引出センサー２ｍが、それぞれ透過式または反射式のフォトスイッチであることも考えられる。
【００３９】
シート収容部２ａへの補充の対象となるシート９２は、前記印刷処理に関する消耗品の一例である。同様に、トナー９０の消費に応じて交換の対象となるトナーコンテナ２ｉも、前記印刷処理に関する消耗品の一例である。
【００４０】
制御装置５は、各種の演算、データ処理および画像形成装置１０が備える各種の電気機器の制御を実行する。制御装置５は、画像読取装置１、印刷処理装置２、ユーザーインターフェイス装置３および通信装置６との間でデータおよび制御信号の受け渡しが可能である。
【００４１】
図１に示されるように、制御装置５は、ＣＰＵ５１、ＲＡＭ（Random Access Memory）５２および画像データ処理装置５３を含む。ＣＰＵ５１は、二次記憶装置４などに記憶されたプログラムを実行することにより、画像読取装置１、印刷処理装置２、ユーザーインターフェイス装置３および通信装置６を制御する。
【００４２】
なお、ＤＳＰ（Digital Signal Processor）などの他のプロセッサーが、ＣＰＵ５１の代わりに画像読取装置１および印刷処理装置２およびその他の機器を制御することも考えられる。
【００４３】
ＲＡＭ５２は、ＣＰＵ５１が実行する前記プログラムおよびＣＰＵ５１が前記プログラムを実行する過程で出力および参照するデータを一次記憶する記憶装置である。
【００４４】
画像データ処理装置５３は、前記読取画像のデータおよび前記受信印刷データについての加工処理またはデータ変換処理などの画像処理を実行する。例えば、画像データ処理装置５３は、前記読取画像データまたは前記受信印刷データを印刷用のラスタデータへ変換する処理などを実行する。
【００４５】
画像データ処理装置５３が、ＤＳＰなどのプロセッサーおよびＡＳＩＣ（Application Specific Integrated Circuit）などの回路の一方または両方によって実現されることが考えられる。
【００４６】
カメラ７は、画像形成装置１０の前方に向けて設けられている。例えば、カメラ７が前方の斜め上方へ向けて設けられることが考えられる。カメラ７は、画像形成装置１０の前に立つユーザーの顔を撮影可能である。カメラ７は、画像形成装置１０の前に存在する前記ユーザーに関する情報を入力する情報入力装置の一例である。
【００４７】
本実施形態において、カメラ７によって撮影された画像が、ユーザー認証処理に用いられる。以下の説明において、カメラ７によって撮影された画像のことを撮影画像と称する。ＣＰＵ５１は、認証制御プログラムＰｇ１を実行することにより、認証制御装置５１ａとして動作する。認証制御装置５１ａおよび画像データ処理装置５３が、前記ユーザー認証処理を実行する。
【００４８】
本実施形態において、ＣＰＵ５１によって参照される登録情報Ｄ０が、予め二次記憶装置４に記憶されている。
【００４９】
図７に示されるように、登録情報Ｄ０は、１人以上の登録ユーザーを識別する識別データＤ０１を含む。識別データＤ０１は、ユーザー識別情報に相当する。
【００５０】
本実施形態において、識別データＤ０１は、前記登録ユーザーの顔の画像における予め定められた複数の顔要素である複数の登録顔要素Ｄ０１０の情報を含む。前記複数の顔要素は、例えば、目、鼻、口、顎および耳の相対的な位置および相対的な大きさなどを含む。
【００５１】
さらに、登録情報Ｄ０は、前記登録ユーザーの属性情報として、前記登録ユーザーに対応する名前Ｄ０２、通信アドレスＤ０３および部署Ｄ０４などの情報も含む。例えば、通信アドレスＤ０３が電子メールアドレスであることが考えられる。
【００５２】
［ユーザー認証処理］
以下、図３に示されるフローチャートを参照しつつ、前記ユーザー認証処理の手順の一例について説明する。
【００５３】
予め定められた認証開始操作が操作器３ａに対して行われたときに、認証制御装置５１ａが前記ユーザー認証処理を開始する。以下の説明において、Ｓ１０１，Ｓ１０２，…は、前記ユーザー認証処理における複数の工程の識別符号を表す。
【００５４】
＜工程Ｓ１０１＞
前記ユーザー認証処理において、まず、認証制御装置５１ａは、カメラ７を作動させる。これにより、画像形成装置１０の前に立つユーザーの顔画像を含む前記撮影画像が得られる。
【００５５】
＜工程Ｓ１０２＞
続いて、画像データ処理装置５３が、顔認識処理を実行する。前記顔識処理は、前記撮影画像から前記ユーザーの顔画像を抽出し、抽出された前記顔画像における前記複数の顔要素である複数の認識顔要素を特定する処理である。
【００５６】
工程Ｓ１０２の処理を実行する画像データ処理装置５３は、顔認識部の一例である。画像データ処理装置５３は、前記複数の認識顔要素の特定に成功した場合、処理を工程Ｓ１０３へ移行させる。一方、画像データ処理装置５３は、前記複数の認識顔要素の特定に失敗した場合、処理を工程Ｓ１０５へ移行させる。
【００５７】
＜工程Ｓ１０３＞
工程Ｓ１０３において、画像データ処理装置５３は、前記複数の認識顔要素を登録情報Ｄ０における複数の登録顔要素Ｄ０１０と照合することによって前記ユーザーを認識する。
【００５８】
例えば、画像データ処理装置５３は、前記複数の認識顔要素が複数の登録顔要素Ｄ０１０に対して予め定められた近似範囲内の情報を表す場合に、画像形成装置１０の前の前記ユーザーが、複数の登録顔要素Ｄ０１０に対応する前記登録ユーザーであると認識する。
【００５９】
画像データ処理装置５３は、前記ユーザーの認識に成功した場合に、処理を工程Ｓ１０４へ移行させる。一方、画像データ処理装置５３は、前記複数の認識顔要素と登録情報Ｄ０における複数の登録顔要素Ｄ０１０との照合に失敗した場合、処理を工程Ｓ１０５へ移行させる。
【００６０】
工程Ｓ１０２，Ｓ１０３において、画像データ処理装置５３は、カメラ７を通じて入力される前記撮影画像の情報を登録情報Ｄ０における識別データＤ０１と照合することによって前記ユーザーを認識する。工程Ｓ１０２，Ｓ１０３の処理を実行する画像データ処理装置５３は、ユーザー認識装置の一例である。また、工程Ｓ１０３の処理を実行する画像データ処理装置５３は、顔照合部の一例である。
【００６１】
＜工程Ｓ１０４＞
画像データ処理装置５３による前記ユーザーの認識が成功した場合、認証制御装置５１ａは、ジョブの実行の制限を解除し、前記ユーザー認証処理を終了させる。前記ジョブは、画像読取装置１による前記画像読取処理または印刷処理装置２による前記印刷処理などである。これにより、前記ユーザーは、画像形成装置１０を利用可能になる。
【００６２】
＜工程Ｓ１０５＞
一方、工程Ｓ１０５において、認証制御装置５１ａは、予め定められたエラー通知を表示装置３ｂに表示させ、前記ユーザー認証処理を終了させる。これにより、画像形成装置１０は、前記ジョブの実行を制限する状態を維持する。
【００６３】
なお、工程Ｓ１０５の処理は、画像データ処理装置５３による前記複数の認識顔要素の特定または前記ユーザーの認識が失敗した場合に実行される。
【００６４】
以下の説明において、前記ユーザー認証処理によって前記ユーザーが認識されてから予め定められた認識終了条件が成立するまでの期間のことを認識中期間と証する。
【００６５】
ＣＰＵ５１は、前記認識中期間において、後述する対応可能ユーザー登録処理、第１通知処理および第２通知処理を実行する。
【００６６】
例えば、前記認識終了条件が、第１終了条件、第２終了条件および第３終了条件のうちの一部または全てを含むことが考えられる。
【００６７】
前記第１終了条件は、画像読取装置１または印刷処理装置２による前記ジョブの実行も前記ユーザーによる操作器３ａに対する操作もない状態が、予め定められた時間継続した、という条件である。
【００６８】
前記第２終了条件は、前記認証開始操作が、操作器３ａに対して新たに行われた、という条件である。
【００６９】
前記第３終了条件は、前記ジョブが実行されない状態で、工程Ｓ１０１〜Ｓ１０３の処理が定期的に実行された場合に、同一の前記ユーザーを認識できない状況が発生した、という条件である。
【００７０】
［対応ユーザー登録処理］
ＣＰＵ５１は、二次記憶装置４に予め記憶された対応可能ユーザー登録プログラムＰｇ２を実行することにより、前記対応ユーザー登録処理を実行する対応ユーザー登録装置５１ｂとして動作する。
【００７１】
前記対応ユーザー登録処理は、シート対応情報Ｄ１またはコンテナー対応情報Ｄ２を、前記ユーザーの識別データＤ０１に対応付けて二次記憶装置４に記憶させる処理である。
【００７２】
対応ユーザー登録装置５１ｂは、前記認識中期間に対応する前記ユーザーが、シート９２の補充、または、トナーコンテナ２ｉの交換を行った場合に、シート対応情報Ｄ１またはコンテナー対応情報Ｄ２を二次記憶装置４に記憶させる。シート９２の補充およびトナーコンテナ２ｉの交換は、消耗品の管理操作の一例である。
【００７３】
以下の説明において、前記認識中期間に対応する前記ユーザー、即ち、前記認識中期間に対応する前記ユーザー認証処理によって認識された前記ユーザーのことを現ユーザーと称する。
【００７４】
以下、図４に示されるフローチャートを参照しつつ、前記対応ユーザー登録処理の手順の一例について説明する。以下の説明において、Ｓ２０１，Ｓ２０２，…は、前記対応ユーザー登録処理における複数の工程の識別符号を表す。
【００７５】
＜工程Ｓ２０１＞
対応ユーザー登録装置５１ｂは、前記認識中期間に、予め定められたシート補充イベントが発生したか否かを判定する。
【００７６】
前記シート補充イベントは、シート９２の補充が行われる際に発生するイベントである。例えば、前記シート補充イベントは、シート収容部２ａが前記本体から引き出され、かつ、シート収容部２ａが前記本体から引き出される前後において、シート収容部２ａ内のシート９２が増えた、というイベントである。
【００７７】
シート収容部２ａが前記本体から引き出されたことは、引出センサー２ｍによって検出される。また、シート収容部２ａ内のシート９２が増えたことは、シート残量センサー２ｋによって検出される。
【００７８】
対応ユーザー登録装置５１ｂは、前記シート補充イベントが発生したと判定した場合、処理を工程Ｓ２０２へ移行させ、そうでない場合、処理を工程Ｓ２０３へ移行させる。
【００７９】
＜工程Ｓ２０２＞
工程Ｓ２０２において、対応ユーザー登録装置５１ｂは、シート対応情報Ｄ１を、前記現ユーザーを識別する識別データＤ０１に対応付けて二次記憶装置４に記憶させる。その後、対応ユーザー登録装置５１ｂは、処理を工程Ｓ２０３へ移行させる。
【００８０】
シート対応情報Ｄ１は、前記現ユーザーがシート９２の補給を行えることを示す情報である。前記現ユーザーの識別データＤ０１に対応するシート対応情報Ｄ１が既に二次記憶装置４に記憶されている場合、対応ユーザー登録装置５１ｂは、その状態を維持する。なお、シート対応情報Ｄ１は、前記管理操作を行えることを示す対応可能情報の一例である。
【００８１】
＜工程Ｓ２０３＞
工程Ｓ２０３において、対応ユーザー登録装置５１ｂは、前記認識中期間に、予め定められたコンテナー交換イベントが発生したか否かを判定する。
【００８２】
前記コンテナー交換イベントは、トナーコンテナ２ｉの交換が行われる際に発生するイベントである。例えば、前記トナー交換イベントは、トナーコンテナ２ｉが前記本体から一旦取り外された後に装着され、かつ、トナーコンテナ２ｉが前記本体から取り外される前後において、トナーコンテナ２ｉ内のトナー９０の量が増えた、というイベントである。
【００８３】
トナーコンテナ２ｉが前記本体に対して脱着されたことは、コンテナセンサー２ｌによって検出される。また、トナーコンテナ２ｉ内のトナー９０の量が増えたことは、トナー残量センサー２ｊによって検出される。
【００８４】
対応ユーザー登録装置５１ｂは、前記コンテナー交換イベントが発生したと判定した場合、処理を工程Ｓ２０４へ移行させ、そうでない場合、処理を工程Ｓ２０５へ移行させる。
【００８５】
＜工程Ｓ２０４＞
工程Ｓ２０４において、対応ユーザー登録装置５１ｂは、コンテナー対応情報Ｄ２を、前記現ユーザーを識別する識別データＤ０１に対応付けて二次記憶装置４に記憶させる。その後、対応ユーザー登録装置５１ｂは、処理を工程Ｓ２０５へ移行させる。
【００８６】
コンテナー対応情報Ｄ２は、前記現ユーザーがトナーコンテナ２ｉの交換を行えることを示す情報である。前記現ユーザーの識別データＤ０１に対応するコンテナー対応情報Ｄ２が既に二次記憶装置４に記憶されている場合、対応ユーザー登録装置５１ｂは、その状態を維持する。なお、コンテナー対応情報Ｄ２は、前記管理操作を行えることを示す対応可能情報の一例である。
【００８７】
＜工程Ｓ２０５＞
工程Ｓ２０５において、対応ユーザー登録装置５１ｂは、前記認識終了条件が成立したか否かを判定する。
【００８８】
対応ユーザー登録装置５１ｂは、前記認識終了条件が成立していないと判定した場合、工程Ｓ２０１からの処理を繰り返す。一方、対応ユーザー登録装置５１ｂは、前記認識終了条件が成立したと判定した場合、前記対応ユーザー登録処理を終了させる。
【００８９】
前記シート補充イベントおよび前記コンテナー交換イベントは、それぞれ前記認識中期間に前記消耗品の補充または交換を含む管理操作が行われる際に発生する特定イベントの一例である。
【００９０】
また、工程Ｓ２０１および工程Ｓ２０３の処理を実行する対応ユーザー登録装置５１ｂは、前記特定イベントが発生したか否かを判定する特定イベント判定部の一例である。
【００９１】
また、工程Ｓ２０２，Ｓ２０４の各々の処理は、前記認識中期間に前記特定イベントが発生したと判定された場合に実行される処理である。
【００９２】
そして、工程Ｓ２０２，Ｓ２０４の各々を実行する対応ユーザー登録装置５１ｂは、前記ユーザーが前記消耗品の前記管理操作を行えることを示すシート対応情報Ｄ１またはコンテナー対応情報Ｄ２を二次記憶装置４に記憶させる特定ユーザー登録部の一例である。
【００９３】
工程Ｓ２０２，Ｓ２０４の各々において、対応ユーザー登録装置５１ｂは、前記認識中期間に対応する前記ユーザーを識別する識別データＤ０１に対応付けて、シート対応情報Ｄ１またはコンテナー対応情報Ｄ２を二次記憶装置４に記憶させる。
【００９４】
［在庫管理処理］
ここで、ＣＰＵ５１が実行する在庫管理処理について説明する。ＣＰＵ５１は、在庫管理プログラムＰｇ３を実行することにより、前記在庫管理処理を実行する在庫管理装置５１ｃとして動作する。
【００９５】
在庫管理装置５１ｃは、操作器３ａに対する在庫数入力操作に従って、シート９２またはトナーコンテナ２ｉの追加在庫数を設定する。前記ユーザーは、シート９２またはトナーコンテナ２ｉを新たに入手したときに、操作器３ａに対して前記在庫数入力操作を行う。
【００９６】
さらに、在庫管理装置５１ｃは、二次記憶装置４に記憶されているシート在庫数Ｄ３またはコンテナー在庫数Ｄ４の情報を、前記追加在庫数が加算された情報へ更新する。なお、シート在庫数Ｄ３およびコンテナー在庫数Ｄ４の初期値はゼロである。
【００９７】
また、在庫管理装置５１ｃは、シート搬送機構２ｂが１枚のシート９２をシート収容部２ａから送り出すごとに、二次記憶装置４に記憶されているシート在庫数Ｄ３の情報を、１枚減算された情報へ更新する。
【００９８】
さらに、在庫管理装置５１ｃは、図４の工程Ｓ２０３において、対応ユーザー登録装置５１ｂによって前記コンテナー交換イベントが発生したと判定されるごとに、二次記憶装置４に記憶されているコンテナー在庫数Ｄ４の情報を、１つ減算された情報へ更新する。
【００９９】
続いて、前記第１通知処理および前記第２通知処理について説明する。前記第１通知処理および前記第２通知処理は、シート収容部２ａへのシート９２の補充またはトナーコンテナ２ｉの交換などの管理対応に関する通知を、前記管理対応が可能なユーザーに対して選択的に通知する処理である。前記第１通知処理および前記第２通知処理は、前記認識中期間に実行される。
【０１００】
［第１通知処理］
ＣＰＵ５１は、二次記憶装置４に予め記憶された第１通知プログラムＰｇ４を実行することにより、前記第１通知処理を実行する第１通知装置５１ｄとして動作する。
【０１０１】
以下、図５に示されるフローチャートを参照しつつ、前記第１通知処理の手順の一例について説明する。以下の説明において、Ｓ３０１，Ｓ３０２，…は、前記第１通知処理における複数の工程の識別符号を表す。
【０１０２】
＜工程Ｓ３０１＞
前記第１通知処理において、第１通知装置５１ｄは、シート残量センサー２ｋによって検出されるシート９２の残量が、予め設定された第１設定シート量Ｓｔ０１を下回っているか否かを判定する。
【０１０３】
第１通知装置５１ｄは、シート９２の残量が第１設定シート量Ｓｔ０１を下回っていると判定した場合、処理を工程Ｓ３０２へ移行させ、そうでない場合、処理を工程Ｓ３０４へ移行させる。
【０１０４】
なお、シート残量センサー２ｋによって検出されるシート９２の残量は、前記消耗品であるシート９２に対応する第１パラメーターの一例である。また、シート９２の残量が第１設定シート量Ｓｔ０１を下回るという工程Ｓ３０１の判定条件は、予め定められた第１通知条件の一例である。
【０１０５】
＜工程Ｓ３０２＞
工程Ｓ３０２において、第１通知装置５１ｄは、前記現ユーザーに対応するシート対応情報Ｄ１が二次記憶装置４に記憶されているか否かを判定する。その後、第１通知装置５１ｄは、処理を工程Ｓ３０３へ移行させる。
【０１０６】
第１通知装置５１ｄは、前記現ユーザーに対応するシート対応情報Ｄ１が二次記憶装置４に記憶されていると判定した場合、処理を工程Ｓ３０３へ移行させ、そうでない場合、処理を工程Ｓ３０４へ移行させる。
【０１０７】
＜工程Ｓ３０３＞
工程Ｓ３０３において、第１通知装置５１ｄは、予め定められたシート補充メッセージを表示装置３ｂに表示させる。前記シート補充メッセージは、シート収容部２ａにシート９２を補充することを促すメッセージである。その後、第１通知装置５１ｄは、処理を工程Ｓ３０６へ移行させる。
【０１０８】
＜工程Ｓ３０４＞
工程Ｓ３０４において、第１通知装置５１ｄは、シート残量センサー２ｋによって検出されるシート９２の残量が、予め設定された第２設定シート量Ｓｔ０２を下回っているか否かを判定する。第２設定シート量Ｓｔ０２は第１設定シート量Ｓｔ０１よりも小さい。
【０１０９】
第１通知装置５１ｄは、シート９２の残量が第２設定シート量Ｓｔ０２を下回っていると判定した場合、処理を工程Ｓ３０５へ移行させ、そうでない場合、処理を工程Ｓ３０６へ移行させる。
【０１１０】
＜工程Ｓ３０５＞
工程Ｓ３０５において、第１通知装置５１ｄは、シート９２の補充を促すメッセージとともに、シート対応ユーザーの情報を表示装置３ｂに表示させる。その後、第１通知装置５１ｄは、処理を工程Ｓ３０６へ移行させる。
【０１１１】
前記シート対応ユーザーの情報は、登録情報Ｄ０におけるシート対応情報Ｄ１に対応する前記登録ユーザーの情報である。例えば、第１通知装置５１ｄは、シート対応情報Ｄ１に対応する名前Ｄ０２および部署Ｄ０４などの情報を表示装置３ｂに表示させる。
【０１１２】
工程Ｓ３０５の処理により、前記現ユーザーは、自らがシート９２を補充することができなくても、シート９２の補充を依頼するのに適した他のユーザーを容易に知ることができる。
【０１１３】
登録情報Ｄ０が、複数の前記登録ユーザーについての前記シート対応ユーザーの情報を含む場合がある。この場合、第１通知装置５１ｄが、前記現ユーザーと部署Ｄ０４が共通する前記シート対応ユーザーの情報を優先して、表示装置３ｂに表示させることが考えられる。
【０１１４】
＜工程Ｓ３０６＞
工程Ｓ３０６において、第１通知装置５１ｄは、トナー残量センサー２ｊによって検出されるトナー９０の残量が、予め設定された設定トナー量Ｔｎ００を下回っているか否かを判定する。
【０１１５】
第１通知装置５１ｄは、トナー９０の残量が設定トナー量Ｔｎ００を下回っていると判定した場合、処理を工程Ｓ３０７へ移行させ、そうでない場合、処理を工程Ｓ３１０へ移行させる。
【０１１６】
なお、トナー残量センサー２ｊによって検出されるトナー９０の残量は、前記消耗品であるトナーコンテナ２ｉに対応する第１パラメーターの一例である。また、トナー９０の残量が設定トナー量Ｔｎ００を下回るという工程Ｓ３０６の判定条件は、予め定められた第１通知条件の一例である。
【０１１７】
＜工程Ｓ３０７＞
工程Ｓ３０７において、第１通知装置５１ｄは、前記現ユーザーに対応するコンテナー対応情報Ｄ２が二次記憶装置４に記憶されているか否かを判定する。
【０１１８】
第１通知装置５１ｄは、前記現ユーザーに対応するコンテナー対応情報Ｄ２が二次記憶装置４に記憶されていると判定した場合、処理を工程Ｓ３０８へ移行させ、そうでない場合、処理を工程Ｓ３０９へ移行させる。
【０１１９】
＜工程Ｓ３０８＞
工程Ｓ３０８において、第１通知装置５１ｄは、予め定められたコンテナー交換メッセージを表示装置３ｂに表示させる。前記コンテナー交換メッセージは、トナーコンテナ２ｉを交換することを促すメッセージである。その後、第１通知装置５１ｄは、処理を工程Ｓ３１０へ移行させる。
【０１２０】
＜工程Ｓ３０９＞
工程Ｓ３０９において、第１通知装置５１ｄは、トナーコンテナ２ｉの交換を促すメッセージとともに、コンテナー対応ユーザーの情報を表示装置３ｂに表示させる。その後、第１通知装置５１ｄは、処理を工程Ｓ３１０へ移行させる。
【０１２１】
前記コンテナー対応ユーザーの情報は、登録情報Ｄ０におけるコンテナー対応情報Ｄ２に対応する前記登録ユーザーの情報である。例えば、第１通知装置５１ｄは、コンテナー対応情報Ｄ２に対応する名前Ｄ０２および部署Ｄ０４などの情報を表示装置３ｂに表示させる。
【０１２２】
工程Ｓ３０９の処理により、前記現ユーザーは、自らがトナーコンテナ２ｉを交換することができなくても、トナーコンテナ２ｉの交換を依頼するのに適した他のユーザーを容易に知ることができる。
【０１２３】
登録情報Ｄ０が、複数の前記登録ユーザーについての前記コンテナー対応ユーザーの情報を含む場合がある。この場合、第１通知装置５１ｄが、前記現ユーザーと部署Ｄ０４が共通する前記コンテナー対応ユーザーの情報を優先して、表示装置３ｂに表示させることが考えられる。
【０１２４】
＜工程Ｓ３１０＞
工程Ｓ３１０において、第１通知装置５１ｄは、前記認識終了条件が成立したか否かを判定する。
【０１２５】
第１通知装置５１ｄは、前記認識終了条件が成立していないと判定した場合、工程Ｓ３０１からの処理を繰り返す。一方、第１通知装置５１ｄは、前記認識終了条件が成立したと判定した場合、前記第１通知処理を終了させる。
【０１２６】
以上に示されるように、前記現ユーザーに対応する識別データＤ０１に対応するシート対応情報Ｄ１が二次記憶装置４に記憶されており、かつ、工程Ｓ３０１の判定条件が成立する場合に、前記シート補充メッセージを表示装置３ｂに表示させる（Ｓ３０３）。前記シート補充メッセージは、工程Ｓ３０１の判定条件に対応する通知情報の一例である。
【０１２７】
同様に、前記現ユーザーに対応する識別データＤ０１に対応するコンテナー対応情報Ｄ２が二次記憶装置４に記憶されており、かつ、工程Ｓ３０６の判定条件が成立する場合に、前記コンテナー交換メッセージを表示装置３ｂに表示させる（Ｓ３０８）。前記コンテナー交換メッセージは、工程Ｓ３０６の判定条件に対応する通知情報の一例である。また、第１通知装置５１ｄは、第１通知部の一例である。
【０１２８】
前記対応可能ユーザー登録処理および前記第１通知処理が実行されることにより、第１通知装置５１ｄは、シート９２またはトナーコンテナ２ｉなどの消耗品の補充または交換などの管理対応に関する通知を、前記管理対応が可能なユーザーに対して選択的に通知できる。
【０１２９】
また、前記対応可能ユーザー登録処理が実行されることにより、前記管理対応が可能なユーザーを特定する情報であるシート対応情報Ｄ１およびコンテナー対応情報Ｄ２が、対応ユーザー登録装置５１ｂによって自動的に設定される。従って、シート対応情報Ｄ１およびコンテナー対応情報Ｄ２を設定する手間が省略される。
【０１３０】
また、前記管理対応が可能なユーザーが、前記現ユーザーとして画像形成装置１０の前に存在するタイミングで、前記シート補充メッセージまたは前記コンテナー交換メッセージが、表示装置３ｂに表示される。
【０１３１】
従って、前記管理対応が可能なユーザーは、自身の都合で画像形成装置１０を操作するついでに、前記管理対応を行うことができる。そのため、前記管理対応が可能なユーザーが、前記管理対応のためだけにわざわざ自席から画像形成装置１０の場所へ移動する頻度を低減することができる。
【０１３２】
［第２通知処理］
ＣＰＵ５１は、二次記憶装置４に予め記憶された第２通知プログラムＰｇ５を実行することにより、前記第２通知処理を実行する第２通知装置５１ｅとして動作する。
【０１３３】
以下、図６に示されるフローチャートを参照しつつ、前記第２通知処理の手順の一例について説明する。以下の説明において、Ｓ４０１，Ｓ４０２，…は、前記第２通知処理における複数の工程の識別符号を表す。
【０１３４】
＜工程Ｓ４０１＞
前記第２通知処理において、第２通知装置５１ｅは、二次記憶装置４に記憶されているシート在庫数Ｄ３が、予め定められた第１下限在庫数Ｓｔ１を下回っているか否かを判定する。
【０１３５】
第２通知装置５１ｅは、シート在庫数Ｄ３が第１下限在庫数Ｓｔ１を下回っていると判定した場合、処理を工程Ｓ４０２へ移行させ、そうでない場合、処理を工程Ｓ４０４へ移行させる。
【０１３６】
なお、シート在庫数Ｄ３は、前記消耗品であるシート９２に対応する予め定められた第２パラメーターの一例である。また、シート在庫数Ｄ３が第１下限在庫数Ｓｔ１を下回っているという工程Ｓ４０１の判定条件は、シート９２の手配に関する予め定められた第２通知条件の一例である。
【０１３７】
＜工程Ｓ４０２＞
工程Ｓ４０２において、第２通知装置５１ｅは、シート対応情報Ｄ１が二次記憶装置４に記録されているか否かを判定する。第２通知装置５１ｅは、シート対応情報Ｄ１が二次記憶装置４に記録されていると判定した場合、処理を工程Ｓ４０３へ移行させ、そうでない場合、処理を工程Ｓ４０４へ移行させる。
【０１３８】
＜工程Ｓ４０３＞
工程Ｓ４０３において、第２通知装置５１ｅは、新たにシート９２を入手することを促すシート手配メッセージを、登録情報Ｄ０におけるシート対応情報Ｄ１に対応する通信アドレスＤ０３を宛先として、通信装置６を通じて送信する。その後、第２通知装置５１ｅは、処理を工程Ｓ４０４へ移行させる。
【０１３９】
＜工程Ｓ４０４＞
工程Ｓ４０４において、第２通知装置５１ｅは、二次記憶装置４に記憶されているコンテナー在庫数Ｄ４が、予め定められた第２下限在庫数Ｓｔ２を下回っているか否かを判定する。
【０１４０】
第２通知装置５１ｅは、コンテナー在庫数Ｄ４が前記第２下限在庫数を下回っていると判定した場合、処理を工程Ｓ４０５へ移行させ、そうでない場合、処理を工程Ｓ４０７へ移行させる。
【０１４１】
なお、コンテナー在庫数Ｄ４は、前記消耗品であるトナーコンテナ２ｉに対応する予め定められた第２パラメーターの一例である。また、コンテナー在庫数Ｄ４が第２下限在庫数Ｓｔ２を下回っているという工程Ｓ４０４の判定条件は、トナーコンテナ２ｉの手配に関する予め定められた第２通知条件の一例である。
【０１４２】
＜工程Ｓ４０５＞
工程Ｓ４０５において、第２通知装置５１ｅは、コンテナー対応情報Ｄ２が二次記憶装置４に記録されているか否かを判定する。第２通知装置５１ｅは、コンテナー対応情報Ｄ２が二次記憶装置４に記録されていると判定した場合、処理を工程Ｓ４０６へ移行させ、そうでない場合、処理を工程Ｓ４０７へ移行させる。
【０１４３】
＜工程Ｓ４０６＞
工程Ｓ４０６において、第２通知装置５１ｅは、新たにトナーコンテナ２ｉを入手することを促すコンテナー手配メッセージを、登録情報Ｄ０におけるコンテナー対応情報Ｄ２に対応する通信アドレスＤ０３を宛先として、通信装置６を通じて送信する。その後、第２通知装置５１ｅは、処理を工程Ｓ４０７へ移行させる。
【０１４４】
＜工程Ｓ４０７＞
工程Ｓ４０７において、第２通知装置５１ｅは、前記認識終了条件が成立したか否かを判定する。
【０１４５】
第２通知装置５１ｅは、前記認識終了条件が成立していないと判定した場合、工程Ｓ４０１からの処理を繰り返す。一方、第２通知装置５１ｅは、前記認識終了条件が成立したと判定した場合、前記第２通知処理を終了させる。
【０１４６】
以上に示されるように、第２通知装置５１ｅは、シート対応情報Ｄ１が二次記憶装置４に記録されており、かつ、工程Ｓ４０１の判定条件が成立する場合に、前記シート手配メッセージを、通信装置６を通じて送信する（Ｓ４０３）。
【０１４７】
同様に、第２通知装置５１ｅは、コンテナー対応情報Ｄ２が二次記憶装置４に記録されており、かつ、工程Ｓ４０４の判定条件が成立する場合に、前記コンテナー手配メッセージを、通信装置６を通じて送信する（Ｓ４０６）。
【０１４８】
第２通知装置５１ｅは、前記シート手配メッセージまたは前記コンテナー手配メッセージを、シート対応情報Ｄ１またはコンテナー対応情報Ｄ２に対応する通信アドレスＤ０３を宛先として送信する（Ｓ４０３，Ｓ４０６）。
【０１４９】
前記第２通知処理が実行されることにより、前記消耗品の手配を効率化することができる。なお、第２通知装置５１ｅは、第２通知部の一例である。
【０１５０】
[第１応用例]
画像形成装置１０において、カメラ７および画像データ処理装置５３による前記顔認識処理以外の処理が、前記ユーザー認証処理におけるユーザー認識処理として採用されることが考えられる。
【０１５１】
例えば、画像形成装置１０が、前記ユーザーが所持するＩＣカードから、そのＩＣカードに記録されたユーザーＩＤを読み出すカードリーダーを備えることが考えられる。この場合、ＣＰＵ５１は、前記ＩＣカードから読み出された前記ユーザーＩＤを、登録情報Ｄ０における識別データＤ０１と照合することにより、前記ユーザーを認識する。この場合、識別データＤ０１は、複数の登録顔要素Ｄ０１０ではなく、前記ユーザーＩＤと同等の形式のデータである。
【０１５２】
また、ＣＰＵ５１が、操作器３ａを通じてパスワードなどを含む入力識別データを入力し、前記入力識別データを登録情報Ｄ０における識別データＤ０１と照合することにより、前記ユーザーを認識することも考えられる。
【０１５３】
[第２応用例]
また、前記対応可能ユーザー登録処理、前記第１通知処理および前記第２通知処理の対象となる前記消耗品が、ドラム状の感光体２ｃを含むドラムユニットであることも考えられる。
【０１５４】
前記ドラムユニットは、累積印刷枚数が予め定められた上限枚数を上回った場合に、交換されることが望ましい。そのため、前記ドラムユニットに対応する通知条件のパラメーターは、前記累積印刷枚数である。
【０１５５】
例えば、図４の工程Ｓ２０３において、対応ユーザー登録装置５１ｂが、前記ドラムユニットが交換される際に発生するイベントが発生したか否かを判定する。
【０１５６】
さらに、図４の工程Ｓ２０４において、対応ユーザー登録装置５１ｂが、前記ドラムユニットの交換に対応する情報を二次記憶装置４に記憶させる。
【０１５７】
さらに、図５の工程３０６において、第１通知装置５１ｄが、前記累積印刷枚数が前記上限枚数を上回ったか否かを判定する。さらに、工程Ｓ３０７において、第１通知装置５１ｄは、前記ドラムユニットの交換に対応する情報が、前記現ユーザーに対応する情報として二次記憶装置４に記憶されているか否かを判定する。
【０１５８】
そして、図５の工程Ｓ３８において、第１通知装置５１ｄは、前記ドラムユニットの交換を促すメッセージを表示装置３ｂに表示させる。
【符号の説明】
【０１５９】
１        ：画像読取装置
１ａ      ：光源
１ｂ      ：走査機構
１ｃ      ：イメージセンサー
２        ：印刷処理装置
２ａ      ：シート収容部
２ｂ      ：シート搬送機構
２ｃ      ：感光体
２ｄ      ：帯電装置
２ｅ      ：レーザースキャニングユニット
２ｆ      ：現像装置
２ｇ      ：転写装置
２ｈ      ：定着装置
２ｉ      ：トナーコンテナ（消耗品）
２ｊ      ：トナー残量センサー
２ｋ      ：シート残量センサー
２ｌ      ：コンテナセンサー
２ｍ      ：引出センサー
２ｎ      ：クリーニング装置
３        ：ユーザーインターフェイス装置
３ａ      ：操作器
３ｂ      ：表示装置
４        ：二次記憶装置
５        ：制御装置
６        ：通信装置
７        ：カメラ
１０      ：画像形成装置
２１ａ    ：昇降部
２２ａ    ：駆動機構
５１      ：ＣＰＵ
５１ａ    ：認証制御装置
５１ｂ    ：対応ユーザー登録装置
５１ｃ    ：在庫管理装置
５１ｄ    ：第１通知装置
５１ｅ    ：第２通知装置
５２      ：ＲＡＭ
５３      ：画像データ処理装置
８０      ：ネットワーク
９０      ：トナー（消耗品）
９１      ：原稿
９２      ：シート
２００    ：シート搬送路
Ｄ０      ：登録情報
Ｄ０１    ：識別データ
Ｄ０１０  ：登録顔要素
Ｄ０２    ：名前
Ｄ０３    ：通信アドレス
Ｄ０４    ：部署
Ｄ１      ：シート対応情報
Ｄ２      ：コンテナー対応情報
Ｄ３      ：シート在庫数
Ｄ４      ：コンテナー在庫数
Ｐｇ１    ：認証制御プログラム
Ｐｇ２    ：対応可能ユーザー登録プログラム
Ｐｇ３    ：在庫管理プログラム
Ｐｇ４    ：第１通知プログラム
Ｐｇ５    ：第２通知プログラム
【図１】
2019005956.tif 000003
【図２】
2019005956.tif 000004
【図３】
2019005956.tif 000005
【図４】
2019005956.tif 000006
【図５】
2019005956.tif 000007
【図６】
2019005956.tif 000008
【図７】
2019005956.tif 000009